(57)【特許請求の範囲】
【請求項１】
前身頃と後身頃を両脇下部分で連結するように布部材を重ねた連結部を備え、前記連結部に配設された調整部材によって前身頃と後身頃の間隔調整が可能なフローティングベストにおいて、
前記調整部材は、前記前身頃側及び後身頃側に止着され、それぞれ上下方向に所定間隔をおいて対向するように配設される複数のフック部材と、前記前身頃側のフック部材と後身頃側のフック部材に交差して掛けられる調整紐と、前記フック部材に掛けられる調整紐の締め付け状態を調整可能な緊締部材と、を有し、
前記フック部材と調整紐は、前記連結部を形成する重ねた布部材の間に収容されると共に、前記緊締部材は、前記連結部の脇下側の上方に設けられた開口から露出し、緊締部材を介して前記調整紐を引き上げ操作して調整紐の露出長さを調整することで、前記前身頃と後身頃の間隔を調整可能とした、
ことを特徴とするフローティングベスト。
【発明の詳細な説明】
【技術分野】
【０００１】
本発明は、海や川などの水辺において使用されるフローティングベストに関し、詳細には、サイズ調整が可能な構造を有するフローティングベストに関する。
【背景技術】
【０００２】
例えば、船釣りや磯釣りなど、魚釣りをするに際しては、安全上、フローティングベストを着衣することが推奨されている。通常、フローティングベストは、前身頃と後身頃を有しており、これらの適所に浮力体を内包した構造となっている。また、前身頃と後身頃は、ショルダー部及びウエスト部で一体的に連結されており、前身頃の中央の上下方向に設けられたファスナを操作することで着衣する構成となっている。
【０００３】
通常、上記したフローティングベストには、着衣する人の体型、及び内側に着る服に応じて、前身頃と後身頃間の距離を調整可能にする調整部材が設けられている。この調整部材は、前記前身頃と後身頃を両脇下部分で連結するウエスト部（連結部）に設けられており、例えば、特許文献１や特許文献２に開示されているように、連結部に配設されたベルト体をズボンのベルトのように締め付けることで、前身頃と後身頃の調整が行えるようになっている。
【先行技術文献】
【特許文献】
【０００４】
【特許文献１】特許第４８２０１７２号
【特許文献２】特許第４０８３８７３号
【発明の概要】
【発明が解決しようとする課題】
【０００５】
しかし、上記した特許文献１に開示されている調整部材は、操作性の向上が図れるように、外部に露出させた構造となっているため、実際に、魚釣りで使用する場合、釣り針や釣糸が引っかかり易いという問題がある。また、上記した特許文献２に開示されている調整部材は、連結部の内側に配設しているため、釣り針や釣糸の引っ掛かりを防止することはできるものの、フローティングベストを着たままで、前身頃と後身頃の調整操作が行い難いという問題がある。
【０００６】
本発明は、上記した問題に着目してなされたものであり、前身頃と後身頃の調整操作が行い易く、釣り針や釣糸が引っかかることのないフローティングベストを提供することを目的とする。
【課題を解決するための手段】
【０００７】
上記した目的を達成するために、本発明に係るフローティングベストは、前身頃と後身頃を両脇下部分で連結するように布部材を重ねた連結部を備え、前記連結部に配設された調整部材によって前身頃と後身頃の間隔調整が可能なフローティングベストにおいて、前記調整部材は、前記前身頃側及び後身頃側に止着され、それぞれ上下方向に所定間隔をおいて対向するように配設される複数のフック部材と、前記前身頃側のフック部材と後身頃側のフック部材に交差して掛けられる調整紐と、前記フック部材に掛けられる調整紐の締め付け状態を調整可能な緊締部材と、を有し、前記フック部材と調整紐は、前記連結部を形成する重ねた布部材の間に収容されると共に、前記緊締部材は、前記連結部の脇下側の上方に設けられた開口から露出し、緊締部材を介して前記調整紐を引き上げ操作して調整紐の露出長さを調整することで、前記前身頃と後身頃の間隔を調整可能とした、ことを特徴とする。
【０００８】
上記した構成のフローティングベストによれば、前身頃側と後身頃側を、脇下部分で連結する連結部の上方に設けられた開口から露出する緊締部材を介して、調整紐の長さを調整（フック部材の配列方向に沿った上げ下げ操作）することで、前身頃と後身頃の間隔を容易に調整することが可能となる。この場合、フック部材と調整紐は、前記連結部内に収容されているため、釣り針や釣糸が引っ掛かることはなく、また、緊締部材についても、調整操作をしないときは、脇下から、前記連結部の内側と胴部との間の隙間内に収容して外部に露出しないようにすることができるため、釣り針や釣糸が引っ掛かることがなくなる。
【発明の効果】
【０００９】
本発明によれば、前身頃と後身頃の調整操作が行い易く、釣り針や釣糸が引っかかることのないフローティングベストが得られる。
【図面の簡単な説明】
【００１０】
【図１】本発明に係るフローティングベストの一実施形態を示す正面図。
【図２】フローティングベストの裏側の脇下部分の連結部領域を示す図。
【図３】（ａ）は、連結部の内部に設けられる調整部材の構成を示す図、（ｂ）は、フック部材の構成を示す図。
【図４】（ａ）は、連結部の内部に設けられる調整部材の第１の変形例を示す図、（ｂ）は、フック部材の構成を示す図。
【図５】連結部の内部に設けられる調整部材の第２の変形例を示す図。
【図６】（ａ）は、連結部の内部に設けられる調整部材の第３の変形例を示す図、（ｂ）は、フック部材の構成を示す図。
【図７】連結部の内部に設けられる調整部材の第４の変形例を示す図。
【発明を実施するための形態】
【００１１】
以下、本発明に係るフローティングベストの実施形態について、添付図面を参照しながら具体的に説明する。  
図１から図３は、本発明に係るフローティングベストの一実施形態を示す図であり、図１は正面図、図２は裏側の脇下部分の連結部領域を示す図、そして、図３（ａ）は連結部の内部に設けられる調整部材の構成を示す図、図３（ｂ）はフック部材の構成を示す図である。
【００１２】
本実施形態のフローティングベスト１を構成する本体１Ａは、例えば、ナイロン、ポリエステル等の素材によって縫製されており、左右の前身頃２Ａ，２Ｂと後身頃３を備え、これらは、左右のショルダー部５ａ，５ｂ、及び左右のウエスト部（連結部）６ａ，６ｂを介して一体化されている。そして、前記左右のショルダー部５ａ，５ｂと、左右のウエスト部６ａ，６ｂとの間は、装着者の腕を通す開口７ａ，７ｂが形成されるとともに、左右の前身頃２Ａ，２Ｂの前面側中央には、両前身頃を連結するファスナ８が縫着されている。また、各前身頃２Ａ，２Ｂの表面には、ファスナ等によって開閉される複数のポケット９が縫着されている。そして、上記したように構成される本体１Ａ内には、適所に浮力材（図示せず）が組み込まれている。
【００１３】
前記前身頃と後身頃を連結するウエスト部（連結部）には、前身頃と後身頃の間隔を調整可能な調整部材１０が配設されている。この場合、本実施形態の調整部材は、左前身頃２Ａと後身頃３を左脇下で連結する左ウエスト部６ａに配設されており、この部分に配設される調整部材を操作することで前身頃と後身頃の間隔調整が行えるようになっている。なお、以下の説明では、左前身頃を、単に前身頃２Ａと称し、左ウエスト部を、単に連結部６ａと称する。
【００１４】
以下、調整部材の構成について説明する。  
調整部材１０は、前身頃側及び後身頃側に止着され、それぞれ上下方向に所定間隔をおいて対向するように配設される複数のフック部材１２，１３と、前身頃側のフック部材１２と後身頃側のフック部材１３に交差して掛けられる調整紐１５と、両フック部材の上方側（引き上げ操作側）に配置され、各フック部材に掛けられる調整紐１５の締め付け状態を調整可能な緊締部材１８と、を有している。
【００１５】
前記各フック部材１２，１３は全て同一に構成されており、本実施形態では、それぞれ調整紐１５が巻回されて回転可能なローラ２０ａを保持する保持体２０と、この保持体２０を、前身頃及び後身頃を構成する部材に止着（縫着）する舌片２１とを備えている。また、本実施形態では、図３に示すように、前身頃２Ａ側に上下方向に所定の間隔を有して２個のフック部材１２が配設され、後身頃３側に上下方向に所定の間隔を有して２個のフック部材１３が配設され、これらは、対向するようにして、前記舌片２１が、それぞれ前身頃の所定位置、及び後身頃の所定位置に縫着されることで固定されている。なお、図３では、複数のフック部材１２，１３及びこれに掛けられる調整紐１５が示されているが、これらは、布部材を重ねて縫着した連結部６ａ内に配設されており、外部から視認できないようになっている。
【００１６】
前記緊締部材１８は、連結部６ａの脇下側に設けられた開口６Ａから露出しており、フック部材１２，１３に交差して掛けられた調整紐１５の露出端側と係合して、調整紐１５の露出長さを調整できるように構成されている。具体的には、緊締部材１８は、ケース本体１８Ａ内にロック部材１８ａを回転可能に保持しており、ロック部材１８ａの両サイドに調整紐１５のループ部１５ａを挿通させて、そのループ端をケース本体１８Ａから露出させている。また、ロック部材１８ａは、ケース本体１８Ａの長孔１８Ｂから突出する操作部１８ｂを有しており、この操作部１８ｂは、図示されていない付勢部材によって、図３の下方側に向けて付勢されている。なお、前記開口６Ａについては、連結部６ａの表面側に形成しておいても良いが、前記緊締部材１８とループ部１５ａを、連結部６ａの裏側に収容し易いように、連結部６ａの裏面側（図３に示すように、着衣者の胴部側）に形成しておくことが好ましい。また、前記開口６Ａは、図３に示すように、前記フック部材１２，１３の間に配設しておくことが好ましい。
【００１７】
これにより、操作部１８ｂを、図３の矢印Ａで示すように、付勢力に抗して上方側に移動させることで、ロック部材１８ａの、調整紐のループ部１５ａに対するロック状態を解除することができ、調整紐１５を引き上げ操作して締め付けたり、緩めること（露出長さを調整すること）が可能となる。また、開口６Ａがフック部材１２，１３の間に位置しているため、緊締部材１８から露出する調整紐を締め付けた際、前身頃２Ａと後身頃３が互いに接近し、縒れることなく安定した調整操作が行えるようになる。
【００１８】
上記した構成のフローティングベストによれば、着衣した状態のまま、前記脇下部分の連結部６ａの上方に設けられた開口６Ａから露出する緊締部材１８の操作部１８ｂを、片方の手の指で操作しつつ、他方の手の指にループ部１５ａを掛けて引き上げ操作することが容易に行えるようになる。すなわち、ループ部１５ａを単に引き上げ操作することにより、調整紐１５を掛けているフック部材１２，１３は、図３の矢印Ｂで示すように、互いに接近することから、前身頃２Ａと後身頃３の間隔を容易に調整することが可能となる（調整紐１５を緩めると、前身頃２Ａと後身頃３の間隔は拡がる）。
【００１９】
そして、緊締部材１８による操作をしないときには、連結部６ａから露出している緊締部材１８及びループ部１５ａを、連結部６ａの裏側に収容しておくことができる。すなわち、フック部材１２，１３と、これらに掛けられる調整紐１５は、連結部６ａ内に収容された状態となっており、実際に操作を行なう緊締部材１８、及び調整紐のループ部１５ａについても、調整操作をしないときは、脇下から連結部６ａの内側（連結部の内面と着衣者の胴部との間）に収容して外部に露出しないようにすることができるため、上記したように、調整操作が容易に行えると共に、釣り針や釣糸が引っ掛かることのないフローティングベストが得られる。
【００２０】
また、本実施形態では、前記フック部材１２，１３は、回転可能なローラ２０ａを有しており、これらのローラ２０ａに調整紐１５を巻回させているため、調整紐１５の引き上げ操作がスムーズに行え、調整操作がより容易に行えるようになる。
【００２１】
次に、上記した調整部材の各種の変形例について説明する。なお、以下に説明する変形例では、上記の実施形態と同様な機能を有する部材については、同一の参照符号を付し、詳細な説明については省略する。
【００２２】
図４は、調整部材の第１の変形例を示す図である。  
この変形例では、前身頃２Ａ側及び後身頃３側に対して止着される複数のフック部材１２，１３は、それぞれ上下方向に延びる板状体（樹脂製の板材で構成されている）２２，２３に、それぞれ所定間隔をおいて取着されている。各フック部材１２，１３は、調整紐１５が巻回されて回転可能なローラ２０ａを保持する保持体２０を具備した構造となっており、保持体２０を、板状体２２，２３の表面に接着剤等で取着し、この板状体を前身頃２Ａ側及び後身頃３に対して止着（縫着）している。
【００２３】
また、本変形例の緊締部材２８は、開口６Ａから突出する調整紐１５のループ部１５ａを重ね、その端部に把持し易いように把持片１５Ｃを取着して挿通させており、一般的に知られているように、緊締部材２８の本体２８Ａに設けられるプッシュロッド（操作部）２８ａを付勢力に抗して押圧操作することで、調整紐１５に対するロックを解除し、調整紐１５を引き上げ操作して締め付けたり、緩めること（露出長さを調整すること）が可能となっている。
【００２４】
このような構成では、調整紐１５を締め付ける際、前身頃及び後身頃に設けられているフック部材１２、及びフック部材１３が、板状体２２，２３を介して一体的に移動できるため、調整紐１５を締め付けた際、前身頃及び後身頃のフック部材を止着した領域、すなわち、脇下部分が上下方向に締まる（縮んで皺になる）ことがなくなり、着心地を低下させてしまうことがない。
【００２５】
図５は、調整部材の第２の変形例を示す図である。  
上記した実施形態、及び第１の変形例では、いずれも前身頃側、及び後身頃側に止着されるフック部材は、それぞれ上下に所定間隔をおいて２個ずつ配設したが、その個数については特に限定されることはなく、図に示すように、３個ずつ配設しても良い（図には示さないが、４個以上ずつ配設する構成であっても良い）。  
また、フック部材についても、調整紐１５を回転ローラで案内する以外にも、単に、開口１２ａ，１３ａを形成しておき、この開口１２ａ，１３ａを挿通させて調整紐１５を交差するように案内したものであっても良い。
【００２６】
このように構成された調整部材であっても、上述した実施形態と同様な効果を得ることが可能となる。また、この変形例においても、図４に示した構成と同様、各フック部材を予め板状体に取着しておいても良い。
【００２７】
図６は、調整部材の第３の変形例を示す図である。  
この変形例では、前身頃２Ａ側及び後身頃３側において、それぞれ上下方向に所定間隔をおいて設けられる複数のフック部材は、開口６Ａに近い側よりも下側の方が、調整紐１５に対する摺動抵抗が低くなるように構成されている。
【００２８】
具体的には、前身頃２Ａ側のフック部材は、上下方向に延びる板状体２２の表面に、所定間隔をおいて、２つの円弧部３２ａ，３２ｂを、板状体と共に一体形成することで構成されている。この場合、開口６Ａに近い側のフック部材３２ａよりも下側のフック部材３２ｂの方が、調整紐１５に対する巻回状態の曲率が小さくなるように形成されており、調整紐１５に対する摺動抵抗が小さくなるように構成されている。同様に、後身頃３側のフック部材についても、上下方向に延びる板状体２３の表面に、所定間隔をおいて、２つの円弧部３３ａ，３３ｂを、板状体と共に一体形成することで構成されている。この場合、開口６Ａに近い側のフック部材３３ａよりも下側のフック部材３３ｂの方が、調整紐１５に対する巻回状態の曲率が小さくなるように形成されており、調整紐１５に対する摺動抵抗が小さくなるように構成されている。なお、それぞれのフック部材３２ａ，３２ｂ及び３３ａ，３３ｂは、その上面側から閉塞部材（蓋）３２Ａ，３３Ａによって覆われており、巻回した調整紐１５が外れないように構成されている。
【００２９】
上記した構成によれば、各フック部材を、板状体２２，２３を介して止着したことで、脇下部分が上下方向に締まる（縮んで皺になる）ことがなくなると共に、調整紐１５を締め付けた際に、上下の摺動抵抗の差によって、前身頃２Ａ及び後身頃３が上下方向で略均一に接近することができ、前身頃２Ａ及び後身頃３の締め付け感覚の向上が図れるようになる。また、フック部材を板状体２２，２３に一体形成したことから、調整部材１０の組み込みが容易に行えるようになる。
【００３０】
なお、上下のフック部材の調整紐に対する摺動抵抗を変える手段として、上側のフック部材を、図５に示すように、開口に通して案内し、下側のフックを図３に示すように、ローラによって案内するようにしても良い。また、片側に３つ以上のフック部材を配置する構成では、下側のフック部材ほど、調整紐に対する摺動抵抗が小さくなるように構成することが好ましい。
【００３１】
図７は、調整部材の第４の変形例を示す図である。  
この変形例では、開口６Ａの周囲に緊締部材２８を固定し、調整紐１５を開口６Ａから引き出して緊締部材２８に挿通した後、開口４１を介して前身頃２１の内部に引き入れるよう構成している。すなわち、緊締部材２８は、本体２８Ａに形成された係止孔（図示せず）に、身頃（連結部でも良い）の裏面に止着されている保持体４０を挿通することで固定されており、このように固定された緊締部材２８に挿通されるループ部１５ａは、開口４１を介して前身頃のポケット内に案内されている。
【００３２】
このような構成によれば、緊締部材２８が表面側に露出しないことから、釣り針や釣糸の引っかかりを確実に防止できると共に、所定のポケットに手を差し込むことで、容易に調整操作が行えるようになる。
【００３３】
以上、本発明の実施形態について説明したが、本発明は、上記した構成に限定されることはなく、種々変形することが可能である。  
上記した実施形態では、調整部材を、左前身頃側に設けたが、左右の前身頃に配設しても良い。また、前身頃と後身頃を接近させる手段としては、連結部から突出する調整紐を引き上げることで行われるよう構成されていれば良く、緊締部材の構成や、調整紐を交差して案内するフック部材の構成については適宜変形することが可能である。
【符号の説明】
【００３４】
１  フローティングベスト
１Ａ  本体
２Ａ，２Ｂ  前身頃
３  後身頃
６ａ，６ｂ  連結部
１０  調整部材
１２，１３  フック部材
１８  緊締部材
３２ａ，３２ｂ  ３３ａ，３３ｂ  フック部材
１５  調整紐
２２，２３  板状体
【図１】
0005931532.tif 000002
【図２】
0005931532.tif 000003
【図３】
0005931532.tif 000004
【図４】
0005931532.tif 000005
【図５】
0005931532.tif 000006
【図６】
0005931532.tif 000007
【図７】
0005931532.tif 000008